(57)【要約】【課題】  道路に沿って所定間隔を置いて立設される防雪パネル用の支柱を安価にかつ容易に立上げ、立下げることが可能な防雪柵支柱の手動巻上げ装置を提供する。【解決手段】  道路１０に沿って所定間隔をおいて配置された防雪パネル用の下部支柱２１に対して、道路１０の幅方向に設けられた軸３１を介して軸支された上部支柱２２を回動させるためのハンドル４１と、ハンドル４１の回転動作に応じて一端が上部支柱２２に取り付けられたワイヤー４２を巻き取る巻上げ機構４３とを備える。【選択図】  図１
0003112754.tif 000002
【実用新案登録請求の範囲】
【請求項１】
道路に沿って所定間隔をおいて配置された防雪パネル用の下部支柱に対して、上記道路の幅方向に設けられた軸を介して軸支された上部支柱を回動させるためのハンドルと、
上記ハンドルの回転動作に応じて一端が上記上部支柱に取り付けられたワイヤーを巻き取る巻上げ機構とを備えること
を特徴とする防雪柵支柱の手動巻上げ装置。
【請求項２】
上記巻上げ機構は、上記下部支柱に対して着脱自在に取り付けられること
を特徴とする請求項１記載の防雪柵支柱の手動巻上げ装置。
【考案の詳細な説明】
【技術分野】
【０００１】
本考案は、鉄道や道路等に沿って設置される地吹雪等による視野障害や吹き溜まりによる雪の堆積を防止し、積雪期の交通を確保する防雪柵において、積雪期の防雪パネルの展開時に使用する支柱を鉛直方向へ回動させるための防雪柵支柱の手動巻上げ装置に関する。
【背景技術】
【０００２】
従来、鉄道や道路に沿って所定間隔を置いて立設される支柱間に複数の防雪パネルを昇降自在に設け、積雪期には、防雪パネルを上昇させ展開した状態で固定し、それ以外の時期は、通行時の圧迫感を除去し、視界を確保し、周囲の景観を損なわないようにするために、複数の防雪パネルを下降させ支柱の下部に折畳んだ状態で収納するか、又は防雪パネルを折畳んで支柱上部に収納する防雪柵が開発されている。
【０００３】
このような防雪柵の防雪パネルの支柱に沿っての昇降作業は、支柱の道路側に固定又は着脱自在に取付ける手動巻上げ機により実施される。支柱の上端には滑車が設置され、道路側の支柱の下部に取付けられる手動巻上げ機の回転軸の軸方向は道路の進行方向になるように取付けられている（例えば、特許文献１参照。）。
【０００４】
従来の手動巻上げ機１０１は、例えば、図３に示されるように、道路１１０等に沿って所定間隔でコンクリート基礎１０３に支持される支柱１０２を有し、一対の支柱１０２間に折畳み自在の防雪パネル１０４が昇降自在に設置される。防雪パネル１０４を昇降するため支柱１０２の下部の道路１１０側に手動巻上げ機１０９が取付けられている。この手動巻上げ機１０９は、ハンドル１１１の回転動作に応じてワイヤーロープ１０８を巻上げ、或いは巻下げることにより、防雪パネル１０４を昇降させることが可能となる。
【特許文献１】特開平１０−１８２３３号公報
【考案の開示】
【考案が解決しようとする課題】
【０００５】
ところで、積雪期以外において、防雪パネルを下降させても、支柱が立設されたままでは、周囲の景観を損なう原因ともなり、また道路を通行する車両の乗員に対しても余計な注意を促す原因となり、安全性の観点において問題が生じていた。
【０００６】
このため、積雪期以外では、安全性の観点から、防雪パネルのみならず支柱をも立下げておき、積雪期において、この立下げた支柱を鉛直方向に立上げて防雪パネルを巻上げる必要があるが、この支柱の立上げ、立下げ作業を極めて安価に、かつ容易に実行できる装置が未だ提案されていなかった。
【０００７】
そこで、本考案は、上述した問題点に鑑みて案出されたものであり、その目的とするところは、道路に沿って所定間隔を置いて立設される防雪パネル用の支柱を安価にかつ容易に立上げ、立下げることが可能な防雪柵支柱の手動巻上げ装置を提供することにある。
【課題を解決するための手段】
【０００８】
第１の考案は、道路に沿って所定間隔をおいて配置された防雪パネル用の下部支柱に対して、上記道路の幅方向に設けられた軸を介して軸支された上部支柱を回動させるためのハンドルと、上記ハンドルの回転動作に応じて一端が上記上部支柱に取り付けられたワイヤーを巻き取る巻上げ機構とを備えることを特徴とする。
【０００９】
また、第２の考案は、第１の考案において、上記巻上げ機構は、上記下部支柱に対して着脱自在に取り付けられることを特徴とする。
【考案の効果】
【００１０】
ハンドルの回転動作に応じて一端が上部支柱に取り付けられたワイヤーを巻き取る巻上げ機構を設け、これにより上部支柱を回動させることが可能となることから、かかる上部支柱の立上げ、立下げ動作を極めて安価にかつ容易に実行することが可能となる。
【考案を実施するための最良の形態】
【００１１】
以下、本考案を適用した防雪柵支柱の手動巻上げ装置について、図面を参照しながら詳細に説明する。
【００１２】
図１(a)は、本考案を適用した手動巻上げ装置１が着脱自在に取付けられる防雪柵７１の側面図を、また図１(b)は、その正面図を示している。
【００１３】
防雪柵７１は、道路１０に沿って所定間隔でコンクリート基礎３上に図示しないアンカーボルト等で固定される下部支柱２１を有する。この下部支柱２１には、道路１０の幅方向に設けられた軸３１を介して上部支柱２２が軸支されている。その結果、この上部支柱２２は、軸３１を中心として、図１(b)中の矢印で示される方向へ回動自在となる。この上部支柱２２の上端には、滑車６が設置される。一対の下部支柱２１並びに上部支柱２２の間には、複数の防雪パネル７が昇降自在に設置される。複数の防雪パネル７は、各防雪パネル７に取り付けた横杆がリンク機構又はワイヤー等で連結され折畳み自在とされる。積雪期には、防雪パネル７を収納位置から展開しその上端を固定し、それ以外の時期は下降させ下部支柱２１近傍に収納する。上部支柱２２の何れかの箇所には、軸３２が設けられている。下部支柱２１には、手動巻上げ装置１が取り付けられる。この手動巻上げ装置１は、上部支柱２２を軸３１を中心として矢印の方向へ回動させるためのハンドル４１と、このハンドル４１の回転動作に応じてワイヤー４２を巻上げる巻上げ機構４３とを備えている。このワイヤー４２の一端にはフック３３が設けられ、このフック３３を上記軸３２と係着させることにより、ワイヤー４２の一端を上部支柱２２へ取り付けることが可能となる。
【００１４】
即ち、このハンドル４１を図１(b)中において反時計回りに回転させると、これに応じて巻上げ機構４３によりワイヤー４２が巻き上げられ、このワイヤー４２に取り付けられた上部支柱２２がその長手方向が鉛直方向となるように立上げられることになる。かかる状態で上部支柱２２を固定するためには、かかる上部支柱２２の下部に図示しないボルトとナット等を利用して実行するようにしてもよい。
【００１５】
これに対して、ハンドル４１を図１(b)中において時計回りに回転させると、これに応じて巻上げ機構４３によりワイヤー４２が巻き下げられ、このワイヤー４２に取り付けられた上部支柱２２がその長手方向が水平方向となるように立下げられることになる。
【００１６】
図２(a)は、手動巻上げ装置１の側面図を、また図２(b)は、手動巻上げ装置１の正面図を示している。手動巻上げ装置１は、巻上げ機構４３を支持するための支持台５１と、この支持台５１から突設された取付部５２と、この取付部５２の下端において開口された挿入口５３とを備えている。この挿入口５３を、下部支柱２１から突出された図示しない板に挿入させることにより、この手動巻上げ装置１自体を下部支柱２１に対して着脱自在に取り付けることが可能となる。
【００１７】
また、巻上げ機構４３には、歯車６１が形成されてなり、また、ハンドル４１の下端には、この歯車６１と噛合可能な歯車６２が形成されている。作業者は、ハンドル４１の上端に配設されたグリップ４８を把持してこれを回転させることにより、歯車６２を回転させ、その結果、これに噛合された歯車６２を回転させることができ、ひいては、巻上げ機構４３による巻上げ動作、巻下げ動作を実行することが可能となる。
【００１８】
このように、本願発明では、上部支柱２２の立上げ、立下げを極めて容易に実現することができる。また、この手動巻上げ装置１を着脱自在に構成することができることから、単一の手動巻上げ装置１で複数の上部支柱２２の立上げ、立下げ動作を極めて安価で実行することができる。
【図面の簡単な説明】
【００１９】
【図１】本考案の適用例を示す図である。
【図２】本考案の外部構成の詳細を示す図である。
【図３】従来技術について説明するための図である。
【符号の説明】
【００２０】
１  手動巻上げ装置
６  滑車
７  防雪パネル
１０  道路
２１  下部支柱
２２  上部支柱
３１,３２  軸
３３  フック
４１  ハンドル
４２  ワイヤー
４３  巻上げ機構
【図１】
0003112754.tif 000003
【図２】
0003112754.tif 000004
【図３】
0003112754.tif 000005